【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
第１電極と、前記第１電極とは異なる材料で構成された第２電極と、前記第１電極と前記第２電極との間に配置された液晶層と、前記第１電極と前記液晶層との間に配置された第１配向膜と、前記第２電極と前記液晶層との間に配置された第２配向膜とを含む液晶変調素子と、
前記液晶層に与えられる有効電界の電位差が正と負とに周期的に変化するように、前記第１電極に与える電位と、前記第２電極に与える電位の中心電位に対して正と負とに周期的に変化する電位とを制御するコントローラとを有し、
前記コントローラは、前記液晶表示装置の電源投入後で前記液晶変調素子内の帯電現象が安定するまでの間に、フリッカを特定範囲内に抑えるように、前記第１電極に与える電位と前記第２電極に与える電位の中心電位のうち少なくとも一方を変化させ、
前記第１電極側から前記液晶層に光束を入射させて画像を表示することを特徴とする液晶表示装置。
【請求項２】
前記コントローラは、１フレーム画像の表示中に前記液晶層に与えられる有効電界の正の電位差の絶対値と負の電位差の絶対値との差を前記特定範囲に対応する差の範囲内に抑えるように、前記第１電極に与える電位と前記第２電極に与える電位の中心電位のうち少なくとも一方を変化させることを特徴とする請求項１に記載の液晶表示装置。
【請求項３】
前記コントローラは、前記フリッカが小さくなる方向に前記第１電極に与える電位と前記第２電極に与える電位の中心電位のうち少なくとも一方を変化させることを特徴とする請求項１又は２に記載の液晶表示装置。
【請求項４】
前記第１電極の材料と前記第２電極の材料とは、仕事関数が互いに異なることを特徴とする請求項１乃至３に記載の液晶表示装置。
【請求項５】
前記コントローラは、前記第１電極に与える電位と前記第２電極に与える電位の中心電位のうち少なくとも一方を、段階的に変化させることを特徴とする請求項１乃至４に記載の液晶表示装置。
【請求項６】
第１電極と、該第１電極とは異なる材料で構成された第２電極と、前記第１電極と前記第２電極との間に配置された液晶層と、前記第１電極と前記液晶層との間に配置された第１配向膜と、前記第２電極と前記液晶層との間に配置された第２配向膜とを含む液晶変調素子と、
前記液晶層に与えられる有効電界の電位差が正と負とに周期的に変化するように、前記第１電極に与える電位と、前記第２電極に与える電位の中心電位に対して正と負とに周期的に変化する電位とを制御するコントローラとを有し、前記第１電極側から前記液晶層に光束を入射させて画像を表示する液晶表示装置の制御方法であって、
前記コントローラによって、前記液晶表示装置の電源投入後で前記液晶変調素子内の帯電現象が安定するまでの間に、フリッカを特定範囲内に抑えるように、前記第１電極に与える電位と前記第２電極に与える電位の中心電位のうち少なくとも一方を変化させる制御ステップを備えることを特徴とする液晶表示装置の制御方法。
【請求項７】
前記制御ステップにおいて、１フレーム画像の表示中に前記液晶層に与えられる有効電界の正の電位差の絶対値と負の電位差の絶対値との差を前記特定範囲に対応する差の範囲内に抑えるように、前記第１電極に与える電位と前記第２電極に与える電位の中心電位のうち少なくとも一方を変化させることを特徴とする請求項６に記載の液晶表示装置の制御方法。
【請求項８】
前記制御ステップにおいて、前記フリッカが小さくなる方向に前記第１電極に与える電位と前記第２電極に与える電位の中心電位のうち少なくとも一方を変化させることを特徴とする請求項６又は７に記載の液晶表示装置の制御方法。
【請求項９】
前記制御ステップにおいて、前記第１電極に与える電位と前記第２電極に与える電位の中心電位のうち少なくとも一方を、段階的に変化させることを特徴とする請求項６乃至８に記載の液晶表示装置の制御方法。
【手続補正２】
【補正対象書類名】明細書
【補正対象項目名】００１２
【補正方法】変更
【補正の内容】
【００１２】
液晶表示装置１は、画像をスクリーン２００に表示する機能を有する。液晶表示装置１は、本実施例では、反射型液晶表示素子（反射型液晶パネル等の画像形成素子）を搭載した投射型液晶表示装置である。液晶表示装置１は、筐体１ａと、ランプ１０と、照明光学系２０と、色分解合成光学系３０と、投射光学系４０と、液晶変調素子５０と、記憶部６０と、制御部（コントローラ）７０を有する。
【手続補正３】
【補正対象書類名】明細書
【補正対象項目名】００３３
【補正方法】変更
【補正の内容】
【００３３】
対向基板５１は、液晶材料５５を後述する駆動基板５６と共同して閉じ込める。対向基板５１は、ガラス基板５２と、透明電極（第１電極）５３と、配向膜（第１配向膜）５４とを有する。
【手続補正４】
【補正対象書類名】明細書
【補正対象項目名】００３８
【補正方法】変更
【補正の内容】
【００３８】
駆動基板５６は、液晶材料５５を対向基板５１と共同して閉じ込める。駆動基板５６は、配向膜（第２配向膜）５７と、画素電極（第２電極）５８と、Ｓｉ基板５９とを有する。
【手続補正５】
【補正対象書類名】明細書
【補正対象項目名】００５３
【補正方法】変更
【補正の内容】
【００５３】
まず、液晶層５５の透明電極５３側（第１電極側）の端部における電位（又は電圧）をα、液晶層５５の画素電極５８側の端部における電位（又は電圧）をβとする。ここで、電位βは、電位αに対して相対的に正の値である場合と負の値である場合とがある。電位βが正の値である場合に、液晶層５５に印加される電位差（つまり”β-α”）と、電位βが負の値である場合に液晶層５５に印加される電位差（つまり“α-β”）とが互いに等しければフリッカーは発生しない。但し、液晶変調素子内の様々な帯電現象によって、液晶層５５に印加される実効電圧（有効電界）と、両電極間に印加される電圧とが互いに異なる場合がある。つまり、透明電極の電位と液晶層の透明電極側の端部の電位とが互いに異なっていたり、画素電極の電位と液晶層の画素電極側の端部の電位とが互いに異なっていたり、透明電極、画素電極、その他の液晶変調素子の構成部材が帯電していたりする場合がある。このような現象は、液晶表示装置、特に液晶表示素子に照射される光が強い液晶プロジェクタにおいて、顕著に発生する。ここでの帯電現象とは、液晶変調素子内のイオン性物質の移動や構成要素の帯電現象等のことを総称することとする。このような場合、電源投入後、それらの部材の帯電現象が安定する（すなわち、それらの帯電現象に関わる電荷が液晶層に与える電界（電圧）が安定する）までは、それらの電荷が安定状態とは異なる電界を液晶層に印加する。それらの電荷が電源投入直後等の不安定な状態で液晶層に与える電圧と、安定した後に液晶層に与える電圧とが互いに異なるため、その両者の差分に相当するフリッカーが電源投入直後に発生する。このようにして発生する電源投入直後のフリッカーを小さくする（無くす）ように、両電極に与える電位を変化させる（制御する）のが本実施例である。尚、上述の電荷が液晶層に与える電圧が安定した後であっても、フリッカーが完全に無くならない場合もある。
【手続補正６】
【補正対象書類名】明細書
【補正対象項目名】００６３
【補正方法】変更
【補正の内容】
【００６３】
そこで、制御方法５００は、予め記憶部６０に記憶されている、フリッカ量が特定範囲内に収まる（好ましくは最小になる）ような透明電極５３の電位のデータを用いて、透明電極５３の電位を調整する。ここで、フリッカ量の特定範囲とは、前述の液晶層に印加される実効電圧（有効電界）の正の電圧の絶対値と負の電圧の絶対値との差が４００ｍＶ以内（好ましくは３００ｍＶ以内、更に好ましくは２００ｍＶ以内）であることと対応している。ここでの正の電圧と負の電圧とは、１フレームが２フィールドに対応する場合（例えば１フレームが１/６０秒周期でその間に正の電圧と負の電圧とで１/１２０秒周期で２フィールドの画像を表示する）には、１フレーム内（同一画素信号が与えられた状態（１フレーム画像の表示中））の正の電圧と負の電圧のことである。また、１フレームが１フィールドに対応する場合（例えば１フレームが１/６０秒周期でその間に正の電圧又は負の電圧とで１/６０秒周期で１フィールドの画像を表示する）には、同一画像信号が与えられ続けた場合のあるフレームの正の電圧とその直後のフレームの負の電圧のことである。  ここで、記憶部６０がフリッカ量を所定範囲に収める（好ましくは最小とする）画素電極の中心電圧に関するデータを保存しておき、その画素電極の中心電圧に関するデータを用いて画素電極の電位を調整しても良い。